(57)【特許請求の範囲】
【請求項１】
建物の屋根に形成される庇部分の裏面に軒天井パネル材が取付けられている軒天井パネルであって、
前記軒天井パネル材が、その上面に、前記庇部分の裏面に沿って取り回された配線を押し上げ可能な軒天井パネル支持金具を一体に有していることを特徴とする軒天井パネル。
【請求項２】
請求項１に記載の軒天井パネルにおいて、
前記軒天井パネル支持金具に、前記配線を押し上げる配線押上部が設けられていることを特徴とする軒天井パネル。
【請求項３】
請求項１または請求項２に記載の軒天井パネルにおいて、
前記軒天井パネル支持金具が、樋を保持可能な樋保持部を有していることを特徴とする軒天井パネル。
【請求項４】
請求項３に記載の軒天井パネルにおいて、
前記軒天井パネル支持金具が、前記樋保持部で保持された前記樋に対して排水勾配を付与可能な勾配付与部を有していることを特徴とする軒天井パネル。
【請求項５】
請求項１ないし請求項４のいずれか１項に記載の軒天井パネルを備えていることを特徴とする軒天井構造。
【請求項６】
請求項１ないし請求項４のいずれか１項に記載の軒天井パネルを備えていることを特徴とする建物。
【請求項７】
建物の屋根に形成された庇部分の裏面に軒天井パネル材を取付ける軒天井パネル取付方法であって、
前記庇部分の裏面に沿って配線を取り回すと共に、前記軒天井パネル材の上面に対して予め一体に軒天井パネル支持金具を取付けておき、
前記庇部分の裏面に沿って取り回された前記配線を、前記軒天井パネル支持金具で押し上げるようにして、前記軒天井パネル支持金具を前記庇部分の裏面に固定することで、軒天井パネル材を庇部分の裏面に取付けると同時に、軒天井パネル材で前記配線を前記庇部分の内側に隠すことを特徴とする軒天井パネル取付方法。
【請求項８】
請求項７に記載の軒天井パネル取付方法において、
前記軒天井パネル支持金具に設けた配線押上部で前記配線を押し上げることを特徴とする軒天井パネル取付方法。
【請求項９】
請求項７または請求項８に記載の軒天井パネル取付方法において、
前記軒天井パネル支持金具に設けた樋保持部で、樋を保持することを特徴とする軒天井パネル取付方法。
【請求項１０】
請求項９に記載の軒天井パネル取付方法において、
前記軒天井パネル支持金具に備えた勾配付与部で、前記樋保持部に保持された前記樋に排水勾配を与えることを特徴とする軒天井パネル取付方法。
【発明の詳細な説明】
【技術分野】
【０００１】
この発明は、軒天井パネル、軒天井構造、建物、軒天井パネル取付方法に関するものである。
【背景技術】
【０００２】
建物には屋根が取付けられており（例えば、特許文献１参照）、建物の屋根に形成された庇部分の裏面には、軒天井パネルが取付けられている。
【０００３】
一方、建物の外面などには各種の配線が設置されている（例えば、特許文献２、３、４参照）。このような配線は、通常、剥き出しのまま建物の外面に沿って取り回されるか、または、配線カバーなどの保護材によって保護された状態で建物の外面に沿って取り回されている。
【０００４】
なお、特許文献１では、屋根パネルと鉄骨大梁との間に、屋根パネルの支持状態をボルトで調節できるようにした補強用支持金具を設置するようにしている。特許文献２では、建物がユニット建物の場合に、配線を隣接する建物ユニット間の隙間へ導くように取り回している。特許文献３では、建物がユニット建物の場合に、配線を建物ユニットに取付けた仮天井の上に支持させるようにしている。特許文献４では、配線を取り回すためのクリップなどを設けるようにしている。
【先行技術文献】
【特許文献】
【０００５】
【特許文献１】特開２００７−７０８６７号公報
【特許文献２】特開平１１−１９６５２５号公報
【特許文献３】特開２０１２−８２５７３号公報
【特許文献４】特表２０１４−５０６７７５号公報（ＷＯ１２／１０２７７７）
【発明の概要】
【発明が解決しようとする課題】
【０００６】
しかし、配線を剥き出しの状態で建物の外面に沿って取り回した場合、紫外線劣化の問題が生じると共に、外観上も見栄えが悪いという問題があった。また、配線を配線カバーなどの保護材によって保護した状態で建物の外面に沿って取り回した場合、配線の周囲に保護材を取付ける手間や、保護材にコストが掛かるなどの問題があった。
【０００７】
そこで、本発明は、上記した問題点を解決することを、主な目的としている。
【課題を解決するための手段】
【０００８】
上記課題を解決するために、本発明は、
建物の屋根に形成される庇部分の裏面に軒天井パネル材が取付けられている軒天井パネルであって、
前記軒天井パネル材が、その上面に、前記庇部分の裏面に沿って取り回された配線を押し上げ可能な軒天井パネル支持金具を一体に有していることを特徴とする。
【発明の効果】
【０００９】
本発明によれば、上記構成によって、建物に対する配線の取り回しを容易に行うことができる。また、配線の紫外線劣化や、見栄えの悪化の問題を解消すると共に、配線の周囲に保護材を取付ける手間や、保護材に要するコストの問題を解消することができる。
【図面の簡単な説明】
【００１０】
【図１】実施例１にかかる軒天井構造を示す縦断面図である。
【図２】図１の軒樋吊金具の、屋根ユニットに対する取付状態を示す斜視図である。
【図３】図２の部分拡大図である。
【図４】（ａ）配線保持部を示す部分正面図、（ｂ）は他の配線保持部を示す部分正面図である。
【図５】実施例２にかかる軒天井構造を示す縦断面図である。
【図６】樋保持部および勾配付与部を備えた軒樋吊金具の、屋根ユニットに対する取付状態を示す、斜め下側から見た分解斜視図である。
【図７】樋保持部および勾配付与部による樋の取付状態を示す分解斜視図である。
【発明を実施するための形態】
【００１１】
以下、本実施の形態を、図面を用いて詳細に説明する。
図１〜図７は、この実施の形態を説明するためのものである。このうち、図１〜図４は実施例１に関し、図５〜図７は実施例２に関する。
【実施例１】
【００１２】
＜構成＞以下、構成について説明する。
【００１３】
図１に示すように、戸建住宅などの建物１は、建物本体２と、屋根３とを有している。この場合、上記した建物１は、ユニット建物とされている。
【００１４】
ユニット建物は、要するに、工場で予め製造した複数の建物ユニットなどを建築現場へ搬送して現場で組み立てることによって、短期間のうちに建物１を構築できるようにしたものである。
【００１５】
ユニット建物の場合、建物本体２を構成する建物ユニット（例えば、鋼製ユニット）は、例えば、４本のユニット柱の上端部間を４本の天井梁８で矩形状に連結すると共に、４本のユニット柱の下端部間を４本の床梁で矩形状に連結したボックスラーメン構造のユニットフレームを有するものなどとされる。ユニットフレームの外面側には、外壁材９などが取付けられる。
【００１６】
また、屋根３は、ほぼ水平に近い緩い勾配の陸屋根とされており、屋根３を構成する屋根ユニットは、例えば、平行な一対の屋根フレーム１１の間に野地板１２と溶融アルミニウムめっき鋼板などの下地鋼板１３とを有する屋根葺材１４を架設して一体化したものなどとされる（例えば、図６参照）。屋根フレーム１１は、ウエブ部の上下に一対のフランジ部を有する内向きのＣ型断面の鋼材とされており、屋根葺材１４は、屋根フレーム１１のウエブ部の中間位置に、金属製または木製の受材１５（野地板受金具や木桟など）を用いて取付けられている。
【００１７】
更に、屋根フレーム１１の上側のフランジ部の部分には、太陽電池パネル１６が取付金具を用いて一体に取付けられている。
【００１８】
そして、最上階に位置する建物ユニットの上部に対して上記した屋根ユニットが複数並設される。この際、隣接する屋根ユニットの間には、カバー部材２１などが取付けられる。そして、建物本体２に対して屋根３を一部張り出すように取付けることによって庇部分２３（軒）が形成される。屋根葺材１４や太陽電池パネル１６は、庇部分２３の先端（軒先側）へ向かって下り勾配となるように斜めに設置される。
【００１９】
庇部分２３の先端側には、水下水切役物２４が取付けられ、その下側には、軒樋吊金具２５を用いて軒樋２６が取付けられる。この軒樋２６は、軒先に沿って（紙面と直交する方向へ）延びるものとされる。この軒樋２６は、延設方向に対して所要の排水勾配を有するものとされる。この排水勾配は、軒樋吊金具２５が持つ高さ調節機能によって付与される。更に、庇部分２３の先端には、パラペット２７が取付けられる。
【００２０】
また、太陽電池パネル１６の下面側からは配線２８が突設されており、この配線２８は、例えば、庇部分２３の先端（軒先側）へ向かって延びると共に、水下水切役物２４の位置で反転され、屋根フレーム１１の下側を通って建物本体２へ向かうように取り回されるなどしている。この配線２８は、屋根葺材１４（野地板１２）の下面などに対して仮止めしておくようにするのが好ましいが、状況によっては仮止めしなくても良い。
【００２１】
そして、建物１の屋根３に形成された庇部分２３の裏面に軒天井パネル材３１を取付けるようにする。
【００２２】
このように、庇部分２３の裏面に軒天井パネル材３１を取付けることで、建物１の軒天井構造が形成される。この軒天井構造では、軒天井パネル材３１は、軒樋２６の下側を通ってパラペット２７の下部と、外壁材９の上端部との間を塞ぐように取付けられる。
【００２３】
なお、建物１は、上記したようなユニット建物に限るものではない。
【００２４】
そして、以上のような基本的または全体的な構成に対し、この実施例は、以下のような構成を備えている。
【００２５】
（１−１）軒天井パネル支持金具４１について
上記軒天井パネル材３１が、その上面に、上記庇部分２３の裏面に沿って取り回される配線２８を押し上げ可能な軒天井パネル支持金具４１を一体に有するものとされる。
【００２６】
ここで、軒天井パネル支持金具４１は、ウエブ部４５の上下に一対のフランジ部４６，４７を有するＣ型断面の鋼材などとされている。軒天井パネル支持金具４１は、少なくとも、屋根ユニットを構成する一対の屋根フレーム１１の間に（横方向へ）架設可能な長さを有するものとされる。軒天井パネル支持金具４１は、軒先側から軒元側へ向け所要の間隔を有して複数本設けることができる。複数本の軒天井パネル支持金具４１の設置間隔は、軒天井パネル材３１に対する取付強度を考慮すると共に、配線２８のたるみなどを考慮して、配線２８を効率良く押さえられる距離にするのが好ましい。
【００２７】
そして、軒天井パネル材３１に対し、工場で予め軒天井パネル支持金具４１を（単数または複数本）取付けることで、軒天井ユニット４８が構成される。軒天井パネル材３１に対する軒天井パネル支持金具４１の取付けは、釘やネジなどの固定部材４９を用いて行われる。軒天井ユニット４８を構成する軒天井パネル支持金具４１は、ボルト・ナットなどの締結固定具５０を用いて屋根フレーム１１の下部（下側のフランジ部）などに取付けられる。軒天井ユニット４８は、庇部分２３の大きさや面積に応じて、複数枚に分けて設けることができる。
【００２８】
（１−２）配線押上部５１について
上記軒天井パネル支持金具４１に、上記配線２８を押し上げる配線押上部５１を設けるようにする。
【００２９】
ここで、配線押上部５１は、例えば、上記した軒天井パネル支持金具４１の上側のフランジ部４６などを利用することができる。屋根フレーム１１の下部に対する軒天井ユニット４８の取付け後には、配線２８は、図２、図３に示すように、粘着テープ５５などによって配線押上部５１に貼付け固定するようにしても良い。
【００３０】
或いは、図４（ａ）に示すように、配線押上部５１（上側のフランジ部４６）に対し、上方へ向けて突出する一対の突起部５６（配線保持部）などを設けて、一対の突起部５６間に配線２８をまとめて収容保持させるようにしても良い。または、図４（ｂ）に示すように、配線押上部５１（上側のフランジ部４６）に上方へ向けて突出する一対の切起部５７（配線保持部）などを設けて、一対の切起部５７間に配線２８をまとめて収容保持させるようにしても良い。なお、一対の突起部５６や切起部５７と上記した粘着テープ５５とを組み合わせて使用しても良い。
【００３１】
＜作用＞以下、この実施例の作用について説明する。
建物１の屋根に形成された庇部分２３の裏面に軒天井パネル材３１を取付けることによって、建物１の軒天井構造が形成される。
この際、上記庇部分２３の裏面に沿って配線２８を取り回すと共に、上記軒天井パネル材３１の上面に対して予め一体に軒天井パネル支持金具４１を取付けておくようにする。
そして、上記庇部分２３の裏面に沿って取り回された上記配線２８を、上記軒天井パネル支持金具４１で押し上げるようにして、上記軒天井パネル支持金具４１を上記庇部分２３の裏面に固定することで、軒天井パネル材３１を庇部分２３の裏面に取付けると同時に、軒天井パネル材３１で上記配線２８を上記庇部分２３の内側に隠すようにする。
【００３２】
この場合において、上記軒天井パネル支持金具４１に専用の配線押上部５１を設けて、配線押上部５１によって上記配線２８を押し上げさせるようにするのが好ましい。
【００３３】
＜効果＞この実施例によれば、以下のような効果を得ることができる。
【００３４】
（効果１−１）軒天井パネル材３１の上面に対して予め一体に軒天井パネル支持金具４１を取付けた。そして、庇部分２３の裏面に沿って取り回された配線２８を軒天井パネル支持金具４１で押し上げるようにして、軒天井パネル支持金具４１を庇部分２３の裏面に固定させるようにした。
【００３５】
これにより、軒天井パネル支持金具４１を下側から庇部分２３の裏面に固定するだけで、軒天井パネル材３１を庇部分２３の裏面に取付けると同時に、軒天井パネル材３１で配線２８を上記庇部分２３の内側に隠すことができるようになる。
【００３６】
その結果、配線２８を剥き出しの状態で建物１の外面に沿って取り回した場合のような、紫外線劣化の問題や、外観上の見栄えの悪化の問題を解消することができると共に、配線２８を配線カバーなどの保護材によって保護した状態で建物１の外面に沿って取り回した場合のような、配線２８の周囲に保護材を取付ける手間や、保護材に要するコストの問題を解消することができる。しかも、軒天井パネル支持金具４１を庇部分２３の裏面に固定するだけの作業で済むので、特に手間が掛かることがない。
【００３７】
（効果１−２）軒天井パネル支持金具４１に配線押上部５１を設けた。これにより、（軒天井パネル支持金具４１に配線押上部５１を設けていない場合と比べて）配線２８を容易且つ確実に押し上げることができるようになる。しかも、配線押上部５１を設けることにより、軒天井パネル支持金具４１だけで配線２８を押し上げると同時に保持もできるようになるので、配線２８の保持に手間もコストもかからない。
【００３８】
この際、配線押上部５１に対して粘着テープ５５で配線２８を固定したり、図４（ａ）（ｂ）に示すように、一対の突起部５６や切起部５７の内側に配線２８をまとめて収容保持させるようにしたりすることで、配線２８を庇部分２３の内側に整然と取り回すことができる。
【実施例２】
【００３９】
図５〜図７は、実施例２に関するものである。
【００４０】
＜構成＞以下、構成について説明する。
【００４１】
図５に示すように、軒樋２６における排水勾配の下側となる端部と、建物本体２に沿って設けられた竪樋６１との間には、建物本体２へ向かって下り勾配に延びる樋６２が設けられる。そして、軒樋２６に流れ込んだ雨水が、樋６２を通って竪樋６１へ流されるようになっている。なお、竪樋６１の上端部には、集水器６３が設置されている。
【００４２】
（２−１）樋保持部７１について
図６に示すように、上記軒天井パネル支持金具４１が、樋６２を保持可能な樋保持部７１を有するものとされている。
【００４３】
ここで、樋保持部７１は、軒天井パネル支持金具４１のウエブ部４５に形成された、樋通し穴などとされている。この樋通し穴は、少なくとも、樋６２の幅と同じかそれよりも若干広い横寸法と、樋６２の高さよりも上下方向に長い縦寸法とを有するものとされている。樋保持部７１は、軒樋２６の排水勾配の下端側の位置で、軒天井パネル支持金具４１における樋６２を通す位置に対して設けられる。
【００４４】
（２−２）勾配付与部８１について
上記軒天井パネル支持金具４１が、上記樋保持部７１で保持された上記樋６２に、排水勾配を付与可能な勾配付与部８１を有するものとされている。
【００４５】
ここで、勾配付与部８１は、樋通し穴へ挿通配置された樋６２の設置高さｈを設定または調整可能な高さ調整部とされている。この高さ調整部は、例えば、樋６２を支持・固定する高さ調整用プレート８５と、この高さ調整用プレート８５を所要の高さで軒天井パネル支持金具４１に固定する（高さ）可変取付部８６とを一体に有するものとされている。
【００４６】
高さ調整用プレート８５は、樋６２に応じた形状や長さを有するものを使用する。この場合、高さ調整用プレート８５は、図７に示すように、樋６２に合わせて現場で曲げ加工することで樋６２を固定するものとされている。例えば、高さ調整用プレート８５は、可変取付部８６に対して面を９０°に曲げることで樋６２の側面と平行にし、更に、その上端部を内側へ曲げることで、樋６２の上縁部を保持させるようにしている。
【００４７】
また、可変取付部８６は、軒天井パネル支持金具４１の樋保持部７１（樋通し穴）の両側部に設けられた取付孔に、ボルト・ナットなどの締結固定具を用いて取付けられる取付片とされる。取付孔は、高さ調整用プレート８５の取付け高さに応じて選択使用が可能なように上下に並べて設けられた複数の丸穴や上下方向へ延びる長孔などの取付孔とされる。なお、勾配付与部８１は、排水勾配に応じて、軒天井パネル支持金具４１ごとに予め高さを設定して取付けておくようにする。また、図では勾配付与部８１は、左右一対の金具となっているが、勾配付与部８１は、上記に限るものではなく、例えば、Ｕ字状の金具などとすることもできる。
【００４８】
＜作用＞以下、この実施例の作用について説明する。
上記軒天井パネル支持金具４１に設けた樋保持部７１で、樋６２を保持させるようにする。
この際、上記軒天井パネル支持金具４１に備えた勾配付与部８１で、上記樋保持部７１に保持された上記樋６２に所要の排水勾配を与えるようにする。
【００４９】
＜効果＞この実施例によれば、以下のような効果を得ることができる。
【００５０】
（効果２−１）軒天井パネル支持金具４１に樋保持部７１を設けた。これにより、軒天井パネル支持金具４１で、配線２８と樋６２とを同時に保持することができる。しかも、軒天井パネル支持金具４１によって樋６２を容易に保持できるようになるので、樋６２を保持するのに専用の保持具を用いる必要がない。よって、その分、コストや手間なども削減することができると共に、庇部分２３の内側に、樋６２を効率良く収容することができて、スペース効率も良い。
【００５１】
（効果２−２）軒天井パネル支持金具４１が勾配付与部８１を備えるようにした。これにより、樋保持部７１で保持された樋６２に対して、所要の排水勾配を与えることができる。しかも、軒天井パネル支持金具４１に付設した勾配付与部８１によって樋６２に排水勾配を持たせることができるようになるので、樋６２に排水勾配を付けるのに特別な支持具や調整具などが不要となる。その分、コストや手間なども削減することができる。
【００５２】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５３】
１    建物
３    屋根
２３  庇部分
３１  軒天井パネル材
４１  軒天井パネル支持金具
５１  配線押上部
６２  樋
７１  樋保持部
８１  勾配付与部
【図１】
0006487811.tif 000002
【図２】
0006487811.tif 000003
【図３】
0006487811.tif 000004
【図４】
0006487811.tif 000005
【図５】
0006487811.tif 000006
【図６】
0006487811.tif 000007
【図７】
0006487811.tif 000008